(57)【要約】【課題】      紙パックの開封された注ぎ口を閉塞するという本来の機能を持ちつつ、紙パック内部に残った液体を容器内部に簡単便利に滴下させることができ、エコロジ─的に優れた紙パック用クリップを提供する。【解決手段】  クランプ部１ａで紙パックＰの封止部２を挟持した状態で、紙パックＰを注ぎ口２Ａが下側となるように逆さまにし、かつ、各保持部１ｃの切溝１ｄをそれぞれカップ３の口部３Ａの縁部に嵌め込んでクリップ本体１をカップ３に保持し、紙パックＰ内部に残った飲料などを開封された注ぎ口２Ａからカップ３内に滴下するようにした。したがって、紙パックＰ内に残っている飲料などが無駄ならずに済むと共に、紙パックＰを再利用する場合に、紙パックＰ内に飲料などが残っていないため、洗浄するのも時間がかからず、また、洗浄のための水や洗剤を多量に必要としないため、資源の無駄遣いや汚染問題などの心配がなく、エコロジ─的に有利である。【選択図】    図３
2007255540.tif 000002
【特許請求の範囲】
【請求項１】
相対向する一対のクランプ部と該クランプ部同士を連接する連接部とを備えたクリップ本体を有し、紙パックの注ぎ口を有する封止部を前記一対のクランプ部により挟持して、開封された注ぎ口を閉塞する紙パック用クリップであって、
前記一対のクランプ部それぞれに、前記連接部から該クランプ部の延びる方向と反対方向に延び、容器の口部の縁部を内外から挟んで該縁部に嵌め込み可能な切溝を有した一対の保持部を設け、
前記一対のクランプ部で紙パックの封止部を挟持した状態で、紙パックを注ぎ口が下側となるように逆さまにし、かつ、一対の保持部の切溝をそれぞれ容器の口部の縁部に嵌め込んでクリップ本体を容器に保持し、紙パック内部に残った液体を開封された注ぎ口から容器内に滴下するようにしたこと
を特徴とする紙パック用クリップ。
【請求項２】
前記一対のクランプ部、連接部および一対の保持部が一体に成形され、該連接部は所定形状の板状に形成されてバネ性を付与され、該バネ性は、常態では該一対のクランプ部の先端部が閉じて紙パックの封止部を挟持する弾性力を発揮し、該弾性力に抗して一対のクランプ部を動作することにより該一対のクランプ部の先端部が開いて紙パックの封止部の挟持を解除するように付与されたこと
を特徴とする請求項１記載の紙パック用クリップ。
【請求項３】
前記一対のクランプ部同士は、それぞれの先端部が開閉するように連接部により連接される一方、該一対のクランプ部間にバネ部材が配設され、該バネ部材は、常態では該一対のクランプ部の先端部が閉じて紙パックの封止部を挟持する弾性力を発揮し、該弾性力に抗して一対のクランプ部を動作することにより該一対のクランプ部の先端部が開いて紙パックの封止部の挟持を解除するものであること
を特徴とする請求項１記載の紙パック用クリップ。
【請求項４】
前記保持部は連接部から立ち上がる位置と、紙パック側に倒れた位置とに選択的に折り畳み可能であること
を特徴とする請求項１〜３のうちいずれか１つに記載の紙パック用クリップ。
【請求項５】
前記一対のクランプ部と連接部が一体に成形され、該連接部は所定形状の板状に形成されてバネ性を付与され、該バネ性は、常態では該一対のクランプ部の先端部が閉じて紙パックの封止部を挟持する弾性力を発揮し、該弾性力に抗して一対のクランプ部を動作することにより該一対のクランプ部の先端部が開いて紙パックの封止部の挟持を解除するように付与される一方、前記保持部は該一対のクランプ部それぞれの先端部に回動可能にヒンジ結合されて、クランプ部外面に接触しつつ連接部から立ち上がる位置と、紙パック側に倒れた位置とに選択的に折り畳み可能に構成されること
を特徴とする請求項１記載の紙パック用クリップ。
【発明の詳細な説明】
【技術分野】
【０００１】
本発明は、牛乳、ジュース、お茶等の飲料などの液体を入れた紙パックをクリップする紙パック用クリップに関し、特に、紙パック内部に残った液体を取り出すべく、カップなどの容器内部に簡単便利に滴下させることができる紙パック用クリップに関する。
【背景技術】
【０００２】
紙パック用クリップは、牛乳、ジュース、お茶等の飲料などの液体を入れた紙パックを開封後に保存するべく、紙パックの注ぎ口を閉塞することができる便利なものであり、種々の形態のものが提案されている。
紙パック用クリップは、基本的には、相対向する一対のクランプ部と該クランプ部同士を連接する連接部とを備えたクリップ本体を有し、紙パックの注ぎ口を有する封止部を一対のクランプ部により挟持して、開封された注ぎ口を閉塞するものである。
【０００３】
具体的には、例えば、特許文献６に示すように、紙パック用クリップは、チャンネル状のクリップ本体からなり、該クリップ本体は互いに対向する脚部と、該脚部の各一端部から延び互いに対向して紙パックの封止部を挟持する挟持片部とを備えており、クリップ本体を紙パックの封止部に挿入し、挟持片部で該封止部を挟持して、開封された注ぎ口を閉塞する。
【特許文献１】実開平６−３００１９号公報
【特許文献２】実開平６−５９２２２号公報
【特許文献３】実開平８−１１８７５号公報
【特許文献４】特開平１０−２３６４８７号公報
【特許文献５】特開２０００−１４２６７１号公報
【特許文献６】特開２００４−１７５４４５号公報
【特許文献７】実用新案登録番号第３０６０５２８号
【発明の開示】
【発明が解決しようとする課題】
【０００４】
ところで、紙パック内の飲料などを飲み終えた後、紙パック内には微量ではあるが、必ず飲料などが残ってしまうのが常であるが、残っている飲料を出来るだけ無駄にしたくないという願望が少なからずある。
【０００５】
また、紙パックを再利用する場合に該紙パックを良く洗浄する必要があるが、紙パック内に飲料などが残っていると、洗浄するのに時間にかかかったり、洗浄のための水や洗剤を多く必要とし、資源の無駄遣いや水質汚染などの環境問題が発生し、エコロジ─的に不利である。
【０００６】
このため、紙パックを振ったり、叩いたりすることがあるが、飲料などが効果的に出てこないし、飲料などが周囲に飛び散って汚してしまうことがある。
特に、ヨーグルトなどのように、粘度の高いものでは、普通の飲料などよりも紙パック内により残り易く、紙パックを振ったり、叩いたりしても、出にくいという問題がある。
【０００７】
本発明は、上記のような課題を解決するためなされたものであり、紙パックの開封された注ぎ口を閉塞するという本来の機能を持ちつつ、紙パック内部に残った飲料などの液体をカップなどの容器内部に簡単便利に滴下させることができ、エコロジ─的に優れた紙パック用クリップを提供することを目的とする。
【課題を解決するための手段】
【０００８】
上記した課題を解決するため、請求項１に係る紙パック用クリップは、相対向する一対のクランプ部と該クランプ部同士を連接する連接部とを備えたクリップ本体を有し、紙パックの注ぎ口を有する封止部を前記一対のクランプ部により挟持して、開封された注ぎ口を閉塞する紙パック用クリップであって、前記一対のクランプ部それぞれに、前記連接部から該クランプ部の延びる方向と反対方向に延び、容器の口部の縁部を内外から挟んで該縁部に嵌め込み可能な切溝を有した一対の保持部を設け、前記一対のクランプ部で紙パックの封止部を挟持した状態で、紙パックを注ぎ口が下側となるように逆さまにし、かつ、一対の保持部の切溝をそれぞれ容器の口部の縁部に嵌め込んでクリップ本体を容器に保持し、紙パック内部に残った液体を開封された注ぎ口から容器内に滴下するようにしたことを特徴とする。
【０００９】
請求項２に係る紙パック用クリップは、前記一対のクランプ部、連接部および一対の保持部が一体に成形され、該連接部は所定形状の板状に形成されてバネ性を付与され、該バネ性は、常態では該一対のクランプ部の先端部が閉じて紙パックの封止部を挟持する弾性力を発揮し、該弾性力に抗して一対のクランプ部を動作することにより該一対のクランプ部の先端部が開いて紙パックの封止部の挟持を解除するように付与されたことを特徴とする。
【００１０】
請求項３に係る紙パック用クリップは、前記一対のクランプ部同士は、それぞれの先端部が開閉するように連接部により連接される一方、該一対のクランプ部間にバネ部材が配設され、該バネ部材は、常態では該一対のクランプ部の先端部が閉じて紙パックの封止部を挟持する弾性力を発揮し、該弾性力に抗して一対のクランプ部を動作することにより該一対のクランプ部の先端部が開いて紙パックの封止部の挟持を解除するものであることを特徴とする。
【００１１】
請求項４に係る紙パック用クリップは、前記保持部は連接部から立ち上がる位置と、紙パック側に倒れた位置とに選択的に折り畳み可能であることを特徴とする。
【００１２】
請求項５に係る紙パック用クリップは、前記一対のクランプ部と連接部が一体に成形され、該連接部は所定形状の板状に形成されてバネ性を付与され、該バネ性は、常態では該一対のクランプ部の先端部が閉じて紙パックの封止部を挟持する弾性力を発揮し、該弾性力に抗して一対のクランプ部を動作することにより該一対のクランプ部の先端部が開いて紙パックの封止部の挟持を解除するように付与される一方、前記保持部は該一対のクランプ部それぞれの先端部に回動可能にヒンジ結合されて、クランプ部外面に接触しつつ連接部から立ち上がる位置と、紙パック側に倒れた位置とに選択的に折り畳み可能に構成されることを特徴とする。
【発明の効果】
【００１３】
請求項１に係る発明の紙パック用クリップによれば、紙パック内に残っている飲料などが無駄ならずに済むと共に、紙パックを再利用する場合に、紙パック内に飲料などが残っていないため、洗浄するのも時間がかからず、また、洗浄のための水や洗剤を多量に必要としないため、資源の無駄遣いや水質汚染などの環境問題が発生せず、エコロジ─的に有利である。さらに、紙パックを振ったり、叩いたりする必要もなく、飲料などが周囲に飛び散って汚してしまうということもない。特に、紙パック内に残り易く、出にくいヨーグルト等のように粘度の高い飲料などをより効果的に出すことができ、より便利である。
【００１４】
請求項２および３に係る発明の紙パック用クリップによれば、連接部にバネ性を付与することによる弾性力あるいは別体のバネ部材の弾性力を利用して、紙パックに対して着脱できるため、ワンタッチで取り付けや取り外しができ、着脱性に優れると共に、紙パックの開封された注ぎ口を堅固に閉塞することができる。
【００１５】
請求項４に係る発明の紙パック用クリップによれば、クリップ本体の保持部を折り畳み可能に構成したから、紙パックに装着したクリップの保持部を紙パック側に倒れた位置に折り畳むことにより、クリップが邪魔にならずに済み、クリップを装着した紙パックをかさばることなく冷蔵庫などに収納することができる。
【００１６】
請求項５に係る発明の紙パック用クリップによれば、連接部にバネ性を付与することによる弾性力を利用して、紙パックに対して着脱できるため、着脱性に優れると共に、紙パックの開封された注ぎ口を堅固に閉塞することができると共に、紙パックに装着したクリップの保持部を紙パック側に倒れた位置に折り畳むことにより、クリップが邪魔にならずに済み、クリップを装着した紙パックをかさばることなく冷蔵庫などに収納することができる。
【発明を実施するための最良の形態】
【００１７】
以下、添付された図面を参照して本発明の実施の形態を詳述する。
図１（ａ），（ｂ）および（ｃ）は、本発明に係る紙パック用クリップの第１の実施例の平面図、正面図および側面図を示している。
【００１８】
紙パック用クリップＣの本体１は、相対向する一対の方形板状のクリップ片１Ａと該クリップ片１Ａ同士を連接する連接部としての連接片１Ｂとから構成され、これらは例えば合成樹脂により一体に成形される。各クリップ片１Ａの一方の片側部分は、それぞれクランプ部１ａとなるものであり、その先端部の内面の縁部に沿った部位には略半球状に膨出した挟持突起部１ｂが形成されている。
【００１９】
また、各クリップ片１Ａの他方の片側部分は、それぞれ保持部１ｃとなるものであり、連接片１Ｂからクランプ部１ａの延びる方向と反対方向に延び、後述する容器としてのカップの口部の縁部を内外から挟んで該縁部に嵌め込み可能な切溝１ｄを有している。この切溝１ｄとしては、図１に示すように、一方の縁部がクランプ部１ａの上下縁部と垂直な直線状をなすと共に、他方の縁部がクランプ部１ａの上下縁部と斜めのテーパ状をなした三角形状に形成されている。
【００２０】
一方、連接片１Ｂは所定形状の板状、例えば湾曲した板状に形成されてバネ性が付与されている。かかるバネ性は、常態では各クリップ片１Ａにおけるクランプ部１ａの先端部が閉じて紙パックの封止部を挟持する弾性力を発揮し、この弾性力に抗して各クランプ部１ａを動作することにより各クランプ部１ａの先端部が開いて紙パックの封止部の挟持を解除するように付与されている。
【００２１】
したがって、クリップ本体１は、常態では、図１（ｃ）に実線で示すように、クリップ片１Ａの先端部分、すなわち、一対のクランプ部１ａの先端部が閉じて、後端部分、すなわち、保持部１ｃが開いた略三角形状を呈し、連接片１Ｂの持つ弾性力に抗して一対の保持部１ｃを摘んで窄ませて、図１（ｃ）に鎖線で示すように、一対のクランプ部１ａの先端部を開いた後、元に戻して該先端部を閉じることにより、一対のクランプ部１ａの先端部により、紙パックの封止部の挟持やその解除を行い得る形状となる。
【００２２】
次に、かかる紙パック用クリップＣの使用方法を説明すると、図２に示すように、一対の保持部１ｃを摘んで窄ませて一対のクランプ部１ａの先端部を開いて紙パックＰの封止部２のうちの開封された注ぎ口２Ａに嵌め、元に戻して該先端部を閉じ、この先端部で注ぎ口２Ａを挟持して閉塞する。この場合、一対のクランプ部１ａの先端部に挟持突起部１ｂが形成されているため、注ぎ口２Ａが略密封状態で閉塞される。
【００２３】
一方、図３に示すように、上記と同じように、一対の保持部１ｃを摘んで窄ませて一対のクランプ部１ａの先端部を開いて紙パックＰの封止部２のうちの閉じられた部分２Ｂ、すなわち、注ぎ口２Ａと反対側の端部に嵌め、元に戻して該先端部を閉じ、紙パックＰにクリップＣを装着する。次に、紙パックＰをカップ３の口部３Ａの上方でその注ぎ口２Ａが下側となるように逆さまにし、かつ、一対の保持部１ｃの切溝１ｄをそれぞれカップ３の口部３Ａの縁部に嵌め込んでクリップ本体１をカップ３に保持させる。この場合、切溝１ｄの直線状の縁部をカップ３の外面に、テーパ状の縁部をその内面に接触させるようにする。
【００２４】
このように、紙パックＰをカップ３の口部３Ａでその注ぎ口２Ａが下側となるように逆さまに保持することにより、紙パックＰ内部に残った飲料などが開封された注ぎ口２Ａからカップ３内に滴下し、暫く放置しておけば、紙パックＰ内部に残った飲料などが略完全にカップ３内に回収される。
【００２５】
したがって、紙パック３内に残っている飲料などが無駄ならずに済むと共に、紙パック３を再利用する場合に、紙パック３内に飲料などが残っていないため、洗浄するのも時間がかからず、また、洗浄のための水や洗剤を多量に必要としないため、資源の無駄遣いや水質汚染などの環境問題が発生せず、エコロジ─的に有利である。
【００２６】
さらに、紙パックＰを振ったり、叩いたりする必要もなく、飲料などが周囲に飛び散って汚してしまうということもない。
特に、ヨーグルト等のように粘度の高い飲料などは、普通の飲料などよりも紙パックＰ内に残り易くて出にくいが、このクリップ１を使用すれば、より効果的に飲料などを出すことができ、より便利である。
【００２７】
なお、本実施例においては、連接部１Ｂにバネ性を付与することによる弾性力を利用して、紙パックＰに対して着脱できるため、ワンタッチで取り付けや取り外しができ、着脱性に優れると共に、紙パックＰの開封された注ぎ口２Ａを堅固に閉塞することができる。また、本実施例において、保持部１ｃの切溝１ｄとして、一方の縁部が直線状をなすと共に、他方の縁部がテーパ状をなした三角形状に形成したため、内面がすり鉢形状となり、少しテーパ面となっていることが多いカップ３の口部３Ａの縁部にクリップ本体１を嵌め込み易く、クリップ本体１をカップ３に安定して保持することができる。
【００２８】
なお、保持部１ｃの切溝１ｄとして、図４（ａ）〜（ｄ）に示す形状のものを適用しても良い。同図（ａ）に示した切溝１ｄは、終端が略Ｕ字形状となったもの、同図（ｂ）に示した切溝１ｄは、一方の縁部が直線状をなすと共に、他方の縁部先端が湾曲しているもの、同図（ｃ）に示した切溝１ｄは、終端が鋭角形状となったもの、同図（ｄ）に示した切溝１ｄは、両方の縁部に略半球状に膨出した突起部１ｅが形成されているものである。
【００２９】
図５（ａ），（ｂ）および（ｃ）は、本発明に係る紙パック用クリップの第２の実施例の平面図、正面図および側面図を示している。すなわち、クリップ本体１０の一対のクリップ片１０Ａは、第１の実施例と同様の形状（同一部分には同一符号を付してある）であり、これらのクリップ片１０Ａ同士を連接する連接部は、一方のクリップ片１０Ａ内面の先端部縁の方向に離間する２位置に固定される２つの連接片１０Ｂと、他方のクリップ片１０Ａ内面の先端部縁の方向に離間する２位置に固定される２つの連接片１０Ｃとからなる。各連接片１０Ｂ，１０Ｃそれぞれの先端部には孔１０ａが形成されている。
【００３０】
そして、一方のクリップ片１０Ａの連接片１０Ｂと他方のクリップ片１０Ａの連接片１０Ｃとを互いに重合し、ピン１１を各連接片１０Ｂ，１０Ｃそれぞれの先端部の孔１０ａに挿通して、各クリップ片１０Ａ同士を回動自由に連結して、該各クリップ片１０Ａそれぞれの先端部が開閉するように構成される。
【００３１】
一方、一対のクリップ片１０Ａ間で、かつ連接片１０Ｂ，１０Ｃ間にバネ部材としての捩じりコイルスプリング１２が配設され、該捩じりコイルスプリング１２は、中心の孔に前記ピン１１が挿通され、かつ、一方の端部が一方のクリップ片１０Ａの内面の係止溝１０ｄに、他方の端部が他方のクリップ片１０Ａの内面の係止溝１０ｄにそれぞれ係止連結される。
【００３２】
したがって、捩じりコイルスプリング１２は、常態では一対のクランプ部１ａの先端部が閉じて図２に示す紙パックＰの封止部２を挟持する弾性力を発揮し、該弾性力に抗して一対のクランプ部１ａを動作することにより該一対のクランプ部１ａの先端部が開いて紙パックＰの封止部２の挟持を解除するように構成されている。したがって、第１の実施例と同様に、クリップ本体１０は、常態では、各クリップ片１０Ａの先端部分、すなわち、一対のクランプ部１ａの先端部が閉じて、後端部分、すなわち、保持部１ｃが開いた略三角形状を呈し、捩じりコイルスプリング１２の持つ弾性力に抗して各保持部１ｃを摘んで窄ませて各クランプ部１ａの先端部を開いた後、元に戻して該先端部を閉じることにより、各クランプ部１ａの先端部により、紙パックＰの封止部２の挟持やその解除を行い得る。
【００３３】
かかる実施例においても、紙パックＰの開封された注ぎ口２Ａを閉塞するという本来の機能を持ちつつ、紙パックＰ内部に残った飲料などをカップ３内部に簡単便利に滴下させることができ、エコロジ─的に優れた紙パック用クリップＣとなるのは勿論のこと、クリップ本体１０を別体の捩じりコイルスプリング１２の弾性力を利用して紙パックＰに対して着脱するようにしたため、ワンタッチで取り付けや取り外しができ、着脱性に優れると共に、紙パックＰの開封された注ぎ口２Ａを堅固に閉塞することができる。
なお、別体のバネ部材としては、実施例のような捩じりコイルスプリング１２でなくとも、板バネでも良い。
【００３４】
図６は、本発明に係る紙パック用クリップの第３の実施例の側面図を示している。この実施例は、各クリップ本体２０の保持部２０ｃを、クランプ部２０ａと別体に形成して、折り畳み可能となるように構成したものである。すなわち、一対のクランプ部２０ａと連接部２０Ｂが一体に成形されており、該連接部２０Ｂは所定形状の板状、例えば湾曲した板状に形成されてバネ性を付与されている。かかるバネ性は、第１の実施例と同様に、常態では一対のクランプ部２０ａの先端部が閉じて紙パックＰの封止部２を挟持する弾性力を発揮し、該弾性力に抗して一対のクランプ部２０ａを動作することにより該一対のクランプ部２０ａの先端部が開いて紙パックＰの封止部２の挟持を解除するように付与される。
【００３５】
一方、第１の実施例と同様に、切溝２０ｄが設けられた各保持部２０ｃは、該保持部２０ｃとは別体の各クランプ部２０ａそれぞれの先端部に回動可能にヒンジ結合部２１を介して回動自由に結合されて、図６の実線で示す如く、クリップ本体２０の保持部２０ｃが、クランプ部２０に接触しつつ連接部２０Ｂから延びて立ち上がる位置と、図６の鎖線で示す如く、紙パックＰ側に延びて倒れた位置とに選択的に折り畳み可能であるように構成される。
【００３６】
かかる構成においては、一対の保持部２０ｃを立ち上がった位置にしてから摘んで窄ませると、一対のクランプ部２０ａの先端部が開かれるため、これを紙パックＰの封止部２のうちの開封された注ぎ口２Ａに嵌め、元に戻して該先端部を閉じ、この先端部で注ぎ口２Ａを挟持して閉塞すれば良い。その後、一対の保持部２０ｃを回動して倒れた位置して、紙パックＰを冷蔵庫などに収納すれば良い。
【００３７】
一方、上記と同じく、一対の保持部２０ｃを立ち上がった位置にしてから摘んで窄ませて一対のクランプ部２０ａの先端部を開いて紙パックＰの封止部２のうちの閉じられた部分、すなわち、注ぎ口２Ａと反対側の端部に嵌め、元に戻して該先端部を閉じ、紙パックＰにクリップＣを装着する。次に、紙パックＰを図３に示すカップ３の口部３Ａの上方でその注ぎ口２Ａが下側となるように逆さまにし、かつ、立ち上がった位置にある一対の保持部２０ｃの切溝２０ｄをそれぞれカップ３の口部３Ａの縁部に嵌め込んでクリップ本体２０をカップ３に保持させれば良い。
【００３８】
かかる実施例においても、紙パックＰの開封された注ぎ口２Ａを閉塞するという本来の機能を持ちつつ、紙パックＰ内部に残った飲料などをカップ３内部に簡単便利に滴下させることができ、エコロジ─的に優れた紙パック用クリップＣとなる一方、連接部２０Ｂにバネ性を付与することによる弾性力を利用して、紙パックＰに対して着脱できるため、ワンタッチで取り付けや取り外しができ、着脱性に優れると共に、紙パックＰの開封された注ぎ口２Ａを堅固に閉塞することができ、しかも、各クリップ本体２０の保持部２０ｃを、クランプ部２０ａと別体に形成して、折り畳み可能となるように構成したから、紙パックＰに装着したクリップＣを紙パックＰ側に倒れた位置に折り畳んでおけば、クリップＣの部分が邪魔にならずに済み、クリップＣを装着した紙パックＰをかさばることなく冷蔵庫などに収納することができる。
【００３９】
なお、上記の各実施例においては、連接部に付与したバネ性による弾性力や別体のバネ部材による弾性力を利用して、クリップを紙パックに対して着脱する構成としたが、クリップをスライドして紙パックに対し着脱する構成としても良い。
【産業上の利用可能性】
【００４０】
紙パック用クリップとして、紙パックの開封された注ぎ口を閉塞するという本来の機能の他に、紙パック内部に残った飲料などの液体をカップなどの容器内部に簡単便利に滴下させる機能を有し、多機能で、エコロジ─的に優れた紙パック用クリップとなる。
【図面の簡単な説明】
【００４１】
【図１】図１は、本発明に係る紙パック用クリップの第１の実施例を示し、（ａ）は平面図、（ｂ）は正面図、（ｃ）は側面図である。
【図２】図２は、同上の紙パック用クリップの紙パックへの装着状態のうち、注ぎ口の閉塞状態を示す斜視図である。
【図３】図３は、同上の紙パック用クリップの紙パックへの装着状態のうち、紙パック内の液体の滴下状態を示す斜視図である。
【図４】図４（ａ）〜（ｄ）は、それぞれ紙パック用クリップの保持部における切溝の形態を示す正面図である。
【図５】図５は、本発明に係る紙パック用クリップの第２の実施例を示し、（ａ）は平面図、（ｂ）は正面図、（ｃ）は側面図である。
【図６】図６は、本発明に係る紙パック用クリップの第３の実施例を示す側面図である。
【符号の説明】
【００４２】
Ｃ  紙パック用クリップ
１  クリップ本体
１Ａ  クリップ片
１Ｂ  連接片
１ａ  クランプ部
１ｃ  保持部
１ｄ  切溝
２  封止部
２Ａ  注ぎ口
３  カップ
３Ａ  口部
１０  クリップ本体
１０Ａ  クリップ片
１０Ｂ，１０Ｃ  連接片
１２  捩じりコイルスプリング
２０  クリップ本体
２０Ｂ  連接部
２０ａ  クランプ部
２０ｃ  保持部
２０ｄ  切溝
Ｐ  紙パック
【図１】
2007255540.tif 000003
【図２】
2007255540.tif 000004
【図３】
2007255540.tif 000005
【図４】
2007255540.tif 000006
【図５】
2007255540.tif 000007
【図６】
2007255540.tif 000008